(57)【要約】【課題】  ライブラリ情報の内容として、日付、チャンネル、タイトル、ジャンル等の情報が含まれているが、ライブラリ情報に映像自身を含めることは考慮されていない。一般的な録画番組の一覧は、番組の映像がわかるようなサムネイル構造で表示することが多い。ユーザは、このサムネイルの映像を見ることにより、どういった内容の番組かを容易に確認することができる。【解決手段】  そこで、例えば、ライブラリ情報にサムネイル情報(部分映像)を付加する装置を提供する。【選択図】図１
2009043319.tif 000002
【特許請求の範囲】
【請求項１】
記録媒体取扱装置であって、
着脱可能な記録媒体からコンテンツの一部分である部分映像を取得する部分映像管理部と、
前記部分映像管理部で取得した部分映像を、着脱可能な複数の記録媒体のコンテンツを表示するライブラリ画面へ出力するライブラリ画面出力部とを有する記録媒体取扱装置。
【請求項２】
請求項１の記録媒体取扱装置であって、
前記部分映像管理部は、着脱可能な第１の記録媒体から第１の部分映像を取得したとき当該第１の部分映像が使用中であることを当該第１の記録媒体へ記録する。
【請求項３】
請求項２の記録媒体取扱装置であって、
前記部分映像管理部は、取得した前記第１の部分映像の前記ライブラリ画面への出力を解除した場合、前記第１の記録媒体での前記第１の部分映像が使用中であることの記録を解除又は未使用であることに変更する。
【請求項４】
請求項１の記録媒体取扱装置であって、
前記部分映像管理部は、前記着脱可能な記録媒体において部分映像を特定する管理情報に基づいて当該部分映像を取得する。
【請求項５】
請求項４の記録媒体取扱装置であって、
前記管理情報は、前記記録媒体に記録しているコンテンツを分割した各単位に対応するインデックスを含む。
【発明の詳細な説明】
【技術分野】
【０００１】
技術分野は、着脱可能な記録媒体を取り付けて、そこに記録された情報を再生または記録などが可能な記録再生装置等の記録媒体取扱装置に関する。
【背景技術】
【０００２】
上記技術分野に関連して、特許文献１には、「光ディスクやハードディスク内に記録した画像のライブラリ情報をハードディスク内で一括管理し表示することで、記録画像を容易に識別管理するライブラリ機能を有する画像記録再生装置を提供する」ことを課題とし、その解決手段として「着脱可能な光ディスク１１と内蔵のハードディスク１３に対して画像情報の記録・再生を行う画像記録再生装置であり、光ディスク１１やハードディスク１３に画像を記録する際に、記録画像のライブラリ情報を作成してハードディスクに格納しておく。必要に応じてこのライブラリ情報を編集し表示することで、複数枚の光ディスクやハードディスク内に保有している多くの画像を容易に一括して識別管理することが可能となる」と記載されている。
【０００３】
【特許文献１】特開2002-150754号公報
【発明の開示】
【発明が解決しようとする課題】
【０００４】
上記特許文献1は、ライブラリ情報について考慮されているが、不十分な点がある。一般的な録画番組の一覧は、番組の映像がわかるようなサムネイル構造で表示することが多い。ユーザは、このサムネイルの映像を見ることにより、どういった内容の番組かを容易に確認することができる。しかし、上記特許文献1は、ライブラリ情報の内容として、日付、チャンネル、タイトル、ジャンル等の情報が含まれているが、ライブラリ情報に映像自身を含めることは考慮されていない。つまり、記録媒体が挿入されていない場合は、サムネイル等の映像情報を見ることはできない。
【０００５】
一方、着脱可能な記録媒体にコピー制限付きデジタルコンテンツが記録されている場合、ライブラリ情報へ単純に映像をコピーすることは許されない。デジタルコンテンツの多くは、著作権保護の目的でコピー制限がかけられている。一般的に、デジタルコンテンツはコピーフリー、コピーワンス、コピーネバーなどのコピー制御がかけられている。コピーフリーとは、録画(コピー)が自由にできることを表し、コピーワンスとは、対応機器に対して、一度だけ録画(コピー)ができることを表し、コピーネバーは、録画(コピー)が一切できないことを表している。つまり、コピーフリーのコンテンツは、いくらでもコピーをすることができるが、コピーワンスのコンテンツは、一度コピーを作成するとその後はコピーをすることができなくなる。ただし、一度コピーを実施したコピーワンスのコンテンツは、ムーブ(移動)という方法で、他の記録媒体などに移動させることができる。ムーブとは、別の記録媒体に内容を書き込んだ際、元の記録媒体に記録されていた内容を消去することであり、ムーブの際、所定期間のコピーを一時的に1回実施することは許されていることがある。
【課題を解決するための手段】
【０００６】
そこで、例えば、ライブラリ情報にサムネイル情報(部分映像)を付加する装置を提供する。ライブラリ情報に付加する映像は、着脱可能な記録媒体に記録してある映像の一部を所定期間分複製して使用する。ただし、複数の映像記録再生装置のライブラリ情報へ、同一映像を複製することは避けるように制御する。
【発明の効果】
【０００７】
上記手段によれば、例えば、著作権保護を遵守しつつ、ユーザにとってのライブラリ機能の利便性を向上できる。
【発明を実施するための最良の形態】
【０００８】
本発明に好適な実施形態の例（実施例）を説明する。ただし、本発明は本実施例に限定されない。
【０００９】
＜映像記録再生装置の構成例＞
図１は、映像記録再生装置（記録媒体取扱装置）の回路ブロックの構成例を示す。以下、本実施例の説明は、映像記録再生装置としてテレビジョン表示装置を例にして説明する。
【００１０】
100はテレビジョン表示装置の全体制御部であり、不揮発性メモリ108に格納されているプログラムに従って演算制御処理等を行う制御部106によって制御される。また、全体制御部100は、リモートコントローラ（以下、「リモコン」と省略する）101により操作可能である。リモコン101からのリモコン信号はリモコン受信部102で受信され、制御部106に伝達される。制御部106は、受信したリモコン信号や操作部103から入力された情報に含まれるコマンドを解析して各部の動作を制御し、表示制御部104を介して表示部109に所定の情報を表示する。出力105は第一記録媒体で、録画した映像コンテンツや後述するライブラリ情報などを記録する。例えば、110は第二記録媒体で、第一記録媒体105と同様に録画コンテンツやライブラリ情報などを記録する。ここで、本実施例においては、第一記録媒体105を内蔵型、第二記録媒体110を着脱可能型と仮定し、着脱可能な第二記録媒体110はスロット107に挿入することにより利用可能になるとする。しかし第一記録媒体105および第二記録媒体110は内蔵型・着脱可能型に限らなくてもよいし、複数存在しても良い。また、スロット107も複数あってもよい。第一記録媒体105の例としては、ＨＤＤ（Hard Disk Drive）、SDRAMなどがあり、着脱可能な第二記録媒体109の例としては、iVDR（information Versatile Disc for Removable usage）（登録商標）と呼ばれるリムーバブルＨＤＤなどがある。
【００１１】
＜ライブラリ情報の説明＞
第一記録媒体105は、記録された映像コンテンツに関するライブラリ情報を記録可能である。このライブラリ情報は、第一記録媒体105に記録された映像コンテンツの情報のみならず、映像記録再生装置を使用して映像コンテンツが記録された着脱可能な第二記録媒体109の映像コンテンツの情報も含んでいる。例えば#1とIDが付された第二記録媒体109をスロット部107に挿入してある番組を録画した場合、その第二記録媒体109のIDと、録画番組の情報（チャンネル、番組タイトル、録画日時等）とをライブラリ情報として第一記録媒体105に格納する（以下、この情報の格納を「ライブラリ登録」と呼ぶ場合もある）。このようにすれば、第二記録媒体109（#1）をスロット部107から取り外しても、そのライブラリ情報は第一記録媒体105に保存されている。
【００１２】
ライブラリ表示と一般的な映像記録再生装置におけるサムネイル表示機能付き録画一覧との違いは、映像記録再生装置の中に録画コンテンツがなくても、録画一覧を閲覧可能であるということである。従って、本実施例によれば、少なくとも、映像記録再生装置を使用して映像コンテンツが記録されたことのある第二記録媒体109であれば、その録画番組に関するライブラリ情報を映像記録再生装置で構成、表示することができる。また、第二記録媒体109が複数ある場合には、それらもライブラリ情報に一括して管理できる。
【００１３】
図5は、ライブラリ情報の表示画面（ライブラリ画面と呼ぶ）の一例を示している。図5の例では、第一記録媒体としてＨＤＤ、第二記録媒体としてiVDRを用いている。図5に示されるように、本実施例に係るライブラリ画面は「録画番組一覧」とのタイトルが付され、左側に記録媒体の種類（内蔵ＨＤＤ／外付けiVDR）を選択するための選択項目と、ライブラリ一覧を選択するための選択項目が縦方向に並んで配置されている。
【００１４】
ここで、「録画番組一覧」を選択すると、内蔵ＨＤＤ、及び当該映像記録再生装置にライブラリ登録された外付けiVDRに録画された全番組の一覧が表示される。また「内蔵ＨＤＤ」あるいは「外付けiVDR」の項目を選択すると、選択した記録媒体に録画された番組の一覧が表示される。また「ライブラリ一覧」を選択すると、ライブラリの一覧が表示される。図5の例では、「ライブラリ一覧」を選択し、ライブラリの一覧として「外付けiVDR一覧」が表示されている場合を示している。この「外付けiVDR一覧」は、当該映像記録再生装置に挿入したことがあるiVDRの一覧を示している。図5において、「#1」〜「#5」は、映像記録再生装置が付したiVDRを識別するためのIDで、「#6」以降は「次ページ」を選択することにより閲覧・操作できるような例である。更に、「外付けiVDR一覧」から所望のiVDRに付されたタイトル（iVDRの識別情報）を選択すると、当該iVDRに録画された番組の一覧が右側に表示される。この録画番組の一覧は、各録画番組に対応して、選局（チャンネル）、録画日、録画時間、タイトルが表示される。つまり、図5の例は、「#1」に対応したiVDRのライブラリを選択しており、そのライブラリ情報が表示されている。なお、映像記録再生装置がテレビジョン表示装置でない場合には、ライブラリ情報の出力であってもよく、ライブラリ情報を出力する部位（例えば表示制御部１０４）をライブラリ情報出力部ともよぶ。
【００１５】
＜サムネイル表示の説明＞
本実施例で用いているサムネイルとは、多数の画像を一覧表示するために縮小された画像のことである。画像編集ソフトの多くがサムネイル作成機能を持っており、記録媒体から読みこむ画像を選択する際などに表示される。画像ファイルが増えてくると名前だけでは判別しづらいため、大雑把に内容がわかるという利点がある。そのため、録画番組一覧においても、サムネイル表示を用いることが多い。
【００１６】
図6は、サムネイル表示を用いた録画番組一覧の例である。図6の例では、ユーザによってフォルダを分けられており、カーソル601で所望の番組を選択すると、録画番組が再生される。なお、カーソル601で選択されたサムネイル映像は、動画再生されるのが一般的である。
【００１７】
＜部分映像管理情報の説明＞
録画したコンテンツを部分映像として切り出す場合、著作権を考慮した制御が必要になる。先に説明したとおり、コピー制限がかけられていないコンテンツの場合、どの部分を切り出しコピーを作成してもよいが、コピー制限がかけられている場合、無制限に切り出していいわけではない。
【００１８】
例えば、コピーワンスのコンテンツを録画すると、以降コピーできない状態になる。この状態から部分的に映像を切り出そうとする場合、所定期間の映像しか切り出してコピーすることができないことが一般的である。例えば、ムーブ動作を実行するために、一時的に1分以内ならばコピーとみなさいようにしていることもある。この期間を切り出し可能期間と呼ぶことにする。
【００１９】
図4-aは、記録済みのコンテンツ毎に切り出し可能期間内に収まるように切り出し可能ポイントを設定したものを表した概念図で、このような情報を部分映像管理情報とする。一般的に、デジタルコンテンツは所定のアルゴリズムで圧縮されており、その影響で、部分映像管理情報である切り出し可能ポイントは等間隔になるとは限らない。また他の映像記録再生装置で、重複して同じ部分映像をコピーしないように、この部分映像管理情報は、記録媒体に記録しておくことが望ましい。
【００２０】
図4-bに具体的な部分映像管理情報の例を示す。図4-bにおいて、402は番組を一意に決定するID、403は切り出しポイントで、4031の切り出しフラグと4032の時間情報から構成されている。切り出しフラグ4031とは、例えば既にこの区間の映像を使用済ならば1にし、未使用なら0とすればよい。これにより、同じ区間を重複して使用することを避けることができる。時間情報4032は例えば、番組開始からの相対時間を記録すればよい。あるいは絶対時間を記録してもよい。時間情報でなくとも、例えば順番などによって各区間の映像（部分映像）を特定できればよく、これらを総称してインデクス情報とも呼ぶ。
【００２１】
＜サムネイル付きライブラリ自動登録手順の例＞
サムネイル付きライブラリの自動登録の手順について図2を例にとって説明する。自動登録するするタイミングは、特に指定しないが、録画終了した直後に実施するのが好ましい。映像記録再生装置側の動作の主体は、例えば制御部106とする。第二記録媒体側の動作の主体は、第二記録媒体110内の制御部とするが、映像記録再生装置から動作させてもよい。図３及び８のフローチャートについても同様である。また図２、３、８のフローチャートを実行する部分を部分映像管理部、部分映像取得部とも呼ぶ。
【００２２】
まず、映像記録再生装置は、ライブラリ情報の件数が一杯でないかどうかをチェックする(図2のS201)。もしライブラリ情報が一杯ならば、ユーザにライブラリ情報が一杯であることを通知して終了する(図2のS202)。もしライブラリ情報が登録可能ならば、第二記録媒体109に対してライブラリ情報の取得をする(図2のS203)。ライブラリ情報を取得すると(図2のS204)、映像記録再生装置は、第二記録媒体109に対して部分映像取得を要求する(図2のS205)。ここで、部分映像とは、あるコンテンツを所定期間切り出した映像である。部分映像取得の要求を受けて第二記録媒体109は、部分映像管理情報を確認し(図2のS210)、切り出し可能な部分映像を切り出す(図2のS206)。図4-bの例では、切り出しフラグが0であれば切り出し可能で、切り出し可能フラグが1ならば既に使用済であるので切り出しはできないと判断する。切り出した元映像は、所定期間内の一時的な複製と同等とみなすことができるので、そのまま残しておいても(コピーしたことになる)かまわない。
【００２３】
さらに、映像記録再生装置にてコンテンツ1の切り出しポイント「1」(図4の401)をコピーした場合、切り出した区間(例えば図4の401)を部分映像管理情報に記録する(図2のS207)。図4-bの例では、切り出しフラグを0から1に変更すればよい。
【００２４】
別の映像記録再生装置にて映像を切り出す場合は、コンテンツ1の切り出しポイント「1」(図4の401)以外のポイントを選択し、切り出す。例えば、図4-aにおいてコンテンツ１の切り出しポイント「2」を切り出した場合、図4-bにおいて開始から二つ目の切り出しフラグを0から1に変更すればよい。
【００２５】
一方、サムネイルとして使用していた映像を削除した場合の動作を図8を用いて説明する。まず、映像記録再生装置のライブラリ情報の一部分あるいはすべてを削除する(図8のS801)。削除が完了した後、第二記録媒体に対して、削除が完了したことを通知する(図8のS802)。例えば通知内容として、番組IDと相対時間のペアを送信する。これを受けて第二記録媒体は、削除された部分映像を使用可能な状態にする。図4-bの例であれば、指定された番組の所定時間の切り出しフラグを1から0に変更すればよい。履歴を残す場合には１を残して0を示すこともできる。
【００２６】
一般的に所定期間内のコピーは一つだけが許されているため、上記操作によりコピーが複数存在しないようにする。映像記録再生装置は、部分映像を取得すると(図2のS208)、ライブラリにライブラリ情報および部分映像を登録する(図2のS209)。
【００２７】
図7は、ライブラリ情報をサムネイル表示した時の例である。図5の文字のみの一覧に比べて、映像が入ることによりユーザにとって利便性があがる。
【００２８】
＜サムネイル付きライブラリ手動登録手順の例＞
上記では、自動的にサムネイル付きライブラリを登録する手順を示した。一方、好みの画像をサムネイルとして登録したいユーザのことを考慮し、サムネイル付きライブラリの手動登録の手順について図3を例にとって説明する。
【００２９】
まず、映像記録再生装置は、ライブラリ情報の件数が一杯でないかどうかをチェックする(図3のS301)。もしライブラリ情報が一杯ならば、ユーザにライブラリ情報が一杯であることを通知して終了する(図3のS302)。次に、ユーザは、ライブラリ情報を入力するが、一旦第二記録媒体109からライブラリ情報取得するか、完全に手動入力するかを選択する(図3のS303)。ユーザが完全に手動入力する場合(図3のS305)、ユーザが任意の情報をリモコン101等を利用して入力する(図3のS305)。一方、一旦ライブラリ情報を第二記録媒体から取得する場合は、第二記録媒体109に対してライブラリ情報の取得を要求し(図3のS304)、ライブラリ情報を取得する(図3のS305)。ライブラリ情報を取得した後、ユーザが手動で編集する(図3のS305)。次に、部分映像区間を入力するが、殿部分が部分映像として選択できるかをユーザに通知するために、部分映像管理情報の取得要求を出し(図3のS306)、部分映像管理情報を取得する(図3のS307)。ユーザは、取得した部分映像管理情報を見て、部分映像を選択する(図3のS308)。映像記録再生装置は、ユーザが選択した部分映像区間を第二記録媒体109に送信する(図3のS309)。部分映像区間の情報を受信した第二記録媒体109は、部分映像管理情報を確認し(図2のS210)、部分映像を切り出す(図3のS310)。第二記録媒体109は、切り出した区間を部分映像管理情報に記録する(図3のS311)。映像記録再生装置は、部分映像を取得すると(図3のS312)、ライブラリにライブラリ情報および部分映像を登録する(図3のS313)。
【図面の簡単な説明】
【００３０】
【図１】映像記録再生装置の構成例を示すブロック図
【図２】映像記録再生装置に部分映像を自動で登録する処理例を示すフローチャート
【図３】映像記録再生装置に部分映像を手動で登録する処理例を示すフローチャート
【図４】部分映像管理情報の例を説明する図
【図５】画面例（１）：ＩＤ＝＃１の記録媒体のライブラリ情報の表示例
【図６】画面例（２）：内蔵ＨＤＤの録画番組一覧をサムネイル表示したときの例
【図７】画面例（３）：ＩＤ＝＃１の記録媒体のライブラリ情報をサムネイル表示したときの例
【図８】映像記録再生装置に部分映像を削除する処理例を示すフローチャート
【符号の説明】
【００３１】
100：映像記録再生装置
101、1001：リモートコントローラ
110：第二記録媒体
1002：リモートコントローラのスロット
1003：リモートコントローラの表示部
【図１】
2009043319.tif 000003
【図２】
2009043319.tif 000004
【図３】
2009043319.tif 000005
【図４】
2009043319.tif 000006
【図５】
2009043319.tif 000007
【図６】
2009043319.tif 000008
【図７】
2009043319.tif 000009
【図８】
2009043319.tif 000010